【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
暗号化されたコンテンツ情報の復号を制御するための契約情報に基づき、放送配信される暗号化コンテンツ情報を復号する放送受信装置において、
複数の放送受信装置に共通のマスター鍵と本放送受信装置に一意に設定された識別情報とを格納する格納手段と、
少なくとも前記契約情報と該契約情報に対応した識別情報と、前記暗号化されたコンテンツを復号するためのチャネルキーとを含む暗号化された受信契約情報を受信する第１の受信手段と、
前記第１の受信手段で受信した暗号化された受信契約情報を、前記マスター鍵を利用し、該暗号化された受信契約情報を順次復号する受信契約情報復号手段と、
前記受信契約情報復号手段で復号した受信契約情報のうち、本放送受信装置の有する識別情報に一致する識別情報に対応付けられた契約情報を取得する契約情報取得手段と、
前記契約情報取得手段で取得した該契約情報に基づき、前記コンテンツ情報の視聴の可否を判定する判定手段と、
前記判定手段で視聴可と判定された際に、前記受信契約情報復号手段で復号されたチャネルキーで暗号化されたコンテンツ情報を復号するコンテンツ復号手段とを備えたことを特徴とする放送受信装置。
【請求項２】
前記受信契約情報は、少なくとも前記識別情報を含む第１の受信契約情報と少なくとも前記チャネルキーを含む第２の受信契約情報とからなり、前記受信手段で前記第１の受信契約情報と前記第２の受信契約情報とが受信されたときに、前記コンテンツ復号手段で前記暗号化されたコンテンツ情報を復号することを特徴とする請求項１記載の放送受信装置。
【請求項３】
前記受信契約情報には、前記チャネルキーの一部を含み、前記受信手段は、前記チャネルキーの他の一部を別途受信することを特徴とする請求項１記載の放送受信装置。
【請求項４】
暗号化されたコンテンツ情報を含む通常放送波を受信する第２の受信手段をさらに具備し、
前記第１の受信手段は、暗号化された前記チャネルキーを復号するためのチャネルキー復号鍵をさらに含む前記暗号化された前記受信契約情報を含む契約放送波を受信し、
前記第１の受信手段で受信した前記暗号化された受信契約情報を前記マスター鍵に基づいて復号して前記チャネルキー復号鍵を取得し、その取得したチャネルキー復号鍵を用いて、前記暗号化チャネルキーを復号することによってチャネルキーを取得し、前記取得した契約情報に基づき、前記コンテンツ情報の視聴の可否を判定することを特徴とする請求項１記載の放送受信装置。
【請求項５】
暗号化されたコンテンツ情報と前記チャネルキーの一部を含む通常放送波を受信する第２の受信手段をさらに具備し、
前記第１の受信手段は、前記チャネルキーの他の一部を含む前記暗号化された受信契約情報を含む契約放送波を受信し、
前記第１の受信手段で受信した前記暗号化された受信契約情報を前記マスター鍵に基づいて復号して前記チャネルキーの他の一部と前記契約情報を取得し、前記第２の受信手段で受信したチャネルキーの一部と前記取得したチャネルキーの他の一部とからチャネルキーを再生し、前記取得した契約情報に基づき、前記コンテンツ情報の視聴の可否を判定することを特徴とする請求項１記載の放送受信装置。
【請求項６】
暗号化されたコンテンツ情報を復号するための内容の正確性が要求される必須情報の誤受信検出のために、それぞれの必須情報に認証子が付加されたデータを受信し、前記認証子とそれが付加された必須情報とを照合し、照合に失敗した場合は当該必須情報を無効にすることを特徴とする請求項１記載の放送受信装置。
【請求項７】
前記受信契約情報に含まれるデジタル署名を検証し、検証により正当性の確認されたデジタル署名を持つ受信契約情報に含まれる契約情報のみを受理することを特徴とする請求項１記載の放送受信装置。
【請求項８】
内部データをテスト出力するためのテスト制御部を具備し、このテスト制御部は、前記受信契約情報に付加されたテスト用である旨の識別子を確認することにより、あるいは、該受信契約情報に付加されたデジタル署名の正当性を確認することにより、前記内部データをテスト出力するか否かを制御することを制御することを特徴とする請求項１記載の放送受信装置。
【請求項９】
暗号化された受信契約情報を記録したカード型記録媒体から該暗号化された受信契約情報を読み出して本放送受信装置に受信させるカードリーダを具備したことを特徴とする請求項１記載の放送受信装置。
【請求項１０】
暗号化されたコンテンツ情報の復号を制御するための契約情報に基づき暗号化されたコンテンツ情報を復号する複数の放送受信装置を管理する契約管理装置であって、
少なくとも前記複数の放送受信装置のそれぞれに一意に設定された識別情報と該識別情報に対応し前記放送受信装置ごとの前記契約情報とを含む受信契約情報を前記複数の放送受信装置に共通のマスター鍵に基づいて暗号化して配信する手段と、
前記暗号化されたコンテンツ情報を復号するためのチャネルキーを配信する手段と、
を具備したことを特徴とする契約管理装置。
【請求項１１】
暗号化されたコンテンツ情報の復号を制御するための契約情報に基づき暗号化されたコンテンツ情報を復号する複数の放送受信装置を管理する契約管理装置であって、
少なくとも前記複数の放送受信装置のそれぞれに一意に設定された識別情報と該識別情報に対応し、前記放送受信装置ごとの前記契約情報と前記暗号化されたコンテンツ情報を復号するための暗号化されたチャネルキーを復号するためのチャネルキー復号鍵とを含む受信契約情報を前記複数の放送受信装置に共通のマスター鍵に基づいて暗号化して配信する手段を具備したことを特徴とする契約管理装置。
【請求項１２】
暗号化されたコンテンツ情報の復号を制御するための契約情報に基づき暗号化されたコンテンツ情報を復号する複数の放送受信装置を管理する契約管理装置であって、
少なくとも前記複数の放送受信装置のそれぞれに一意に設定された識別情報と該識別情報に対応し、前記放送受信装置ごとの前記契約情報として前記暗号化されたコンテンツ情報を復号するためのチャネルキーの一部とを含む受信契約情報を前記複数の放送受信装置に共通のマスター鍵に基づいて暗号化して配信する手段と、
前記チャネルキーの他の一部を配信する手段と、
を具備したことを特徴とする契約管理装置。
【請求項１３】
暗号化されたコンテンツ情報の復号を制御するための契約情報に基づき暗号化されたコンテンツ情報を復号する複数の放送受信装置を管理する契約管理装置であって、
少なくとも前記複数の放送受信装置のそれぞれに一意に設定された識別情報と、該識別情報に対応し、前記放送受信装置ごとの前記契約情報と、前記暗号化されたコンテンツ情報を復号するためのチャネルキーとを含む受信契約情報を前記複数の放送受信装置に共通のマスター鍵に基づいて暗号化して放送配信する手段を具備したことを特徴とする契約管理装置。
【請求項１４】
カード型記録媒体に前記暗号化された受信契約情報を記録する記録手段を具備したことを特徴とする請求項１０〜請求項１３のいずれか１つに記載の契約管理装置。
【請求項１５】
契約に変化の生じた契約者の受信契約情報を選択的に送信することを特徴とする請求項１０〜請求項１３のいずれか１つに記載の契約管理装置。
【請求項１６】
前記受信契約情報に含まれる情報の種別に応じた識別子に基づき、該受信契約情報に対する処理形態を切り替えることを特徴とする請求項１記載の放送受信装置。
【請求項１７】
前記受信契約情報を送信すべき契約者の数に応じて、受信契約情報の送信形態を切り替えることを特徴とする請求項１０〜請求項１３のいずれか１つに記載の契約管理装置。
【手続補正２】
【補正対象書類名】明細書
【補正対象項目名】００１０
【補正方法】変更
【補正の内容】
【００１０】
【課題を解決するための手段】
（１）暗号化されたコンテンツ情報の復号を制御するための契約情報に基づき、放送配信される暗号化コンテンツ情報を復号する放送受信装置において、複数の放送受信装置に共通のマスター鍵と本放送受信装置に固有に設定された受信装置ＩＤを持ち、少なくとも前記契約情報と該契約情報に対応した受信装置ＩＤを含む暗号化された受信契約情報を受信したとき、前記マスター鍵を用いて、該暗号化された受信契約情報を順次復号し、該復号された受信契約情報のうち、本放送受信装置の有する受信装置ＩＤに一致する受信装置ＩＤに対応付けられた契約情報を選択して取得し、その取得した契約情報に基づき、暗号化された情報コンテンツを復号するチャネルキーを暗号化されたコンテンツ情報を復号するための復号部に送るか否か制御することを特徴とする。


【手続補正３】
【補正対象書類名】明細書
【補正対象項目名】００１２
【補正方法】変更
【補正の内容】
【００１２】
（２）第２の実施形態（チャネルキーは、受信契約情報とは別途に配布）
請求項１記載の放送受信装置において、前記チャネルキーは別途受信し、前記受信契約情報を受信しない限り、前記チャネルキーは前記復号部に送られることがないように制御することを特徴とする。


【手続補正４】
【補正対象書類名】明細書
【補正対象項目名】００１３
【補正方法】変更
【補正の内容】
【００１３】
（３）第３の実施形態（受信契約情報にチャネルキー復号鍵が含まれる）
上記（１）記載の放送受信装置において、暗号化された前記チャネルキーを別途受信し、この暗号化されたチャネルキーを復号するチャネルキー復号鍵を含む前記受信契約情報を受信しない限り、前記チャネルキーが復号されないよう制御することを特徴とする。


【手続補正５】
【補正対象書類名】明細書
【補正対象項目名】００１４
【補正方法】変更
【補正の内容】
【００１４】
（４）第１の実施形態（受信契約情報にチャネルキーの一部が含まれる）
上記（１）記載の放送受信装置において、前記チャネルキーの一部は別途受信され、前記チャネルキーの他の一部を含む前記受信契約情報を受信しない限り、前記チャネルキーが得られないように制御することを特徴とする。


【手続補正６】
【補正対象書類名】明細書
【補正対象項目名】００１５
【補正方法】変更
【補正の内容】
【００１５】
（５）第４の実施形態（受信契約情報にチャネルキーが含まれる）
上記（１）記載の放送受信装置において、前記チャネルキーは、前記受信契約情報に含まれて受信され、前記受信契約情報を受信しない限り、前記チャネルキーが得られないものであることを特徴とする。
（６）第２の実施形態（チャネルキーは、受信契約情報とは別途に配布）
上記（１）記載の放送受信装置において、暗号化されたコンテンツ情報を含む通常放送波を受信する第１の受信手段と、前記暗号化された受信契約情報を含む契約放送波を受信する第２の受信手段と、を具備し、前記マスター鍵を用いて、前記第１もしくは第２の受信手段で受信した暗号化されたチャネルキーを復号してチャネルキーを取得するとともに、前記第２の受信手段で受信した暗号化された受信契約情報を復号して前記契約情報を取得し、その取得した契約情報に基づき、前記チャネルキーを暗号化されたコンテンツ情報を復号するための復号部に送るか否か制御することを特徴とする。


【手続補正７】
【補正対象書類名】明細書
【補正対象項目名】００１６
【補正方法】変更
【補正の内容】
【００１６】
（７）第３の実施形態（受信契約情報にチャネルキー復号鍵が含まれる）
上記（１）記載の放送受信装置において、暗号化されたコンテンツ情報を含む通常放送波を受信する第１の受信手段と、前記暗号化されたチャネルキーを復号するためのチャネルキー復号鍵を含む暗号化された受信契約情報を含む契約放送波を受信する第２の受信手段と、を具備し、前記マスター鍵を用いて、前記第２の受信手段で受信した暗号化された受信契約情報を復号して前記チャネルキー復号鍵を取得し、その取得したチャネルキー復号鍵を用いて、前記第１もしくは第２の受信手段で受信した暗号化チャネルキーを復号することによってチャネルキーを取得し、前記取得した契約情報に基づき、前記チャネルキーを暗号化されたコンテンツ情報を復号するための復号部に送るか否か制御することを特徴とする。


【手続補正８】
【補正対象書類名】明細書
【補正対象項目名】００１７
【補正方法】変更
【補正の内容】
【００１７】
（８）第１の実施形態（受信契約情報にチャネルキーの一部が含まれる）
上記（１）記載の放送受信装置において、暗号化された放送コンテンツ情報と前記チャネルキーの一部を含む通常放送波を受信する第１の受信手段と、前記チャネルキーの他の一部を含む暗号化された受信契約情報を含む契約放送波を受信する第２の受信手段を具備し、前記マスター鍵を用いて、前記第２の受信手段で受信した暗号化された受信契約情報を復号して前記チャネルキーの他の一部と前記契約情報を取得し、前記第１の受信手段で受信したチャネルキーの一部と前記取得したチャネルキーの他の一部とからチャネルキーを再生し、前記取得した契約情報に基づき、前記チャネルキーを暗号化されたコンテンツ情報を復号するための復号部に送るか否か制御することを特徴とする。


【手続補正９】
【補正対象書類名】明細書
【補正対象項目名】００１８
【補正方法】変更
【補正の内容】
【００１８】
（９）第４の実施形態（受信契約情報にチャネルキーが含まれる）
上記（１）記載の放送受信装置において、暗号化されたコンテンツ情報を含む通常放送波を受信する第１の受信手段と、前記チャネルキーを含む暗号化された受信契約情報を含む契約放送波を受信する第２の受信手段と、を具備し、前記マスター鍵を用いて、前記第２の受信手段で受信した暗号化された受信契約情報を復号して該受信契約情報に含まれる契約情報とチャネルキーを取得し、その取得した契約情報に基づき、前記チャネルキーを暗号化されたコンテンツ情報の復号部に送るか否か制御することを特徴とする。
（１０）上記（１）〜（９）記載の放送受信装置において、チャネルキー、マスター鍵の少なくとも一方が変更されることを特徴とする。


【手続補正１０】
【補正対象書類名】明細書
【補正対象項目名】００１９
【補正方法】変更
【補正の内容】
【００１９】
鍵情報に有効期間が定められていることにより、契約期間の管理（契約期間の開始、終了、継続等）が容易に行える。また、コンテンツの不正視聴防止等のセキュリティの向上が図れる。
（１１）上記（１）、（３）、（７）記載の放送受信装置において、チャネルキーおよびチャネルキー復号鍵およびマスター鍵のうちの少なくとも１つが変更されることを特徴とする。


【手続補正１１】
【補正対象書類名】明細書
【補正対象項目名】００２０
【補正方法】変更
【補正の内容】
【００２０】
鍵情報に有効期間が定められていることにより、契約期間の管理（契約期間の開始、終了、継続等）が容易に行える。また、コンテンツの不正視聴防止等のセキュリティの向上が図れる。
（１２）上記（１）〜（９）記載の放送受信装置において、チャネルキー、マスター鍵の少なくとも一方が変更され、チャネルキー、マスター鍵のそれぞれは、同時に最大２つの鍵を保持することを特徴とする。
（１３）上記（１）〜（９）記載の放送受信装置において、チャネルキー、マスター鍵の少なくとも一方が変更され、チャネルキー、マスター鍵のそれぞれにおいて同時に最大２つの鍵を保持し、鍵変更の際には古い方を更新することを特徴とする。
（１４）上記（１）、（３）、（７）記載の放送受信装置において、チャネルキーおよびチャネルキー復号鍵およびマスター鍵のうちの少なくとも一つが変更され、チャネルキー、チャネルキー復号鍵、マスター鍵のそれぞれは、同時に最大２つの鍵を保持することを特徴とする。
（１５）上記（１）、（３）、（７）記載の放送受信装置において、チャネルキーおよびチャネルキー復号鍵およびマスター鍵のうちの少なくとも１つが変更され、チャネルキー、チャネルキー復号鍵、マスター鍵のそれぞれは、同時に最大２つの鍵を保持し、鍵変更の際には古い方を更新することを特徴とする。
（１６）上記（１）〜（９）記載の放送受信装置において、チャネルキーは、チャネル毎に同時に最大２つ保持することを特徴とする。


【手続補正１２】
【補正対象書類名】明細書
【補正対象項目名】００２１
【補正方法】変更
【補正の内容】
【００２１】
チャネルキーをチャネル毎に最大２つ保持することにより、チャネル切替時であっても（切替元にチャネルの受信契約を行っていれば）、保持している当該チャネルのチャネルキーを暗号化されたコンテンツ情報の復号部に即時的に送ることでチャネル切替の受信状態を良好にできる。
（１７）上記（１）記載の放送受信装置において、暗号化されたコンテンツ情報を復号するための内容の正確性が要求される必須情報（例えば、チャネルキー等の鍵情報、受信契約情報）の誤受信検出のために、それぞれの必須情報に認証子が付加されたデータを受信し、前記認証子とそれが付加された必須情報とを照合し、照合に失敗した場合は当該必須情報を無効にすることを特徴とする。
（１８）上記（１７）記載の放送受信装置において、暗号化された必須情報の認証子は、該必須情報を該必須情報で暗号化したもの、あるいは、その一部であることを特徴とする。
（１９）上記（１７）記載の放送受信装置において、暗号化された必須情報の認証子は、該必須情報を該必須情報で暗号化したもの、あるいは、前記暗号化された必須情報を該必須情報で再暗号化したもの、あるいは、数回再暗号化した情報のうち全部あるいは一部であることを特徴とする。
（２０）上記（１７）記載の放送受信装置において、暗号化されていない必須情報（例えば、マスター鍵シード）の認証子は、該必須情報を必要があればブロック分割し、それぞれのブロックの情報を鍵として当該情報を暗号化したもの、あるいは、それをさらに圧縮したものを用いることを特徴とする。
（２１）上記（１）記載の放送受信装置において、前記受信契約情報に含まれるデジタル署名を検証し、検証により正当性の確認されたデジタル署名を持つ受信契約情報に含まれる契約情報のみを受理することを特徴とする。
（２２）上記（２１）記載の放送受信装置において、受信契約情報に当該放送受信装置に対する契約情報が含まれた時のみ、受信契約情報に含まれるデジタル署名を検証することを特徴とする。
（２３）上記（２１）記載の放送受信装置において、デジタル署名検証用の公開鍵を変更することを特徴とする。
（２４）上記（１）記載の放送受信装置において、内部データ（復号された受信契約情報、放送受信装置内の受信装置ＩＤ格納部に格納されている受信装置ＩＤ）をテスト出力するためのテスト制御部（スキャンパステスト用ラッチ部）を具備し、このテスト制御部は、前記受信契約情報に付加されたテスト用である旨の識別子を確認することにより、あるいは、該受信契約情報に付加されたデジタル署名の正当性を確認することにより、前記内部データをテスト出力するか否かを制御することを制御することを特徴とする。
（２５）上記（２４）記載の放送受信装置において、前記テスト制御部は、暗号化された内部データを出力することを特徴とする。
（２６）上記（１）記載の放送受信装置において、暗号化された受信契約情報を記録したカード型記録媒体から該暗号化された受信契約情報を読み出して本放送受信装置に受信させるカードリーダを具備したことを特徴とする。
（２７）上記（２６）記載の放送受信装置において、前記カードリーダは、有効期間毎に複数の契約情報が記録された磁気カードから、前記複数の契約情報を読み出し、有効期間に応じてそれらの複数の契約情報を使い分けることを特徴とする。
（２８）契約管理装置
暗号化されたコンテンツ情報の復号を制御するための契約情報に基づき放送配信される暗号化コンテンツ情報を復号することにより該コンテンツ情報を受信する複数の放送受信装置を管理する契約管理装置において、少なくとも放送受信装置毎個別に設定された受信装置ＩＤと該受信装置ＩＤに対応した契約情報を含む受信契約情報を複数の放送受信装置に共通のマスター鍵で暗号化して送信することを特徴とする。


【手続補正１３】
【補正対象書類名】明細書
【補正対象項目名】００２２
【補正方法】変更
【補正の内容】
【００２２】
本発明によれば、限定受信のための情報を送信できる放送帯域が狭かったり、契約者が予想外に多くなってしまった場合であっても、同程度の安全性を保ちながら限定受信のための情報を各放送受信装置に配信できる。
（２９）第２の実施形態の契約管理装置暗号化されたコンテンツ情報の復号を制御するための自装置用の契約情報を受信しない限り、該暗号化された情報コンテンツを復号するためのチャネルキーは暗号化されたコンテンツ情報を復号するための復号部に送られることがないよう制御することにより、該契約情報に従ったコンテンツ情報の復号を行う複数の放送受信装置を管理する契約管理装置であって、少なくとも放送受信装置毎個別に設定された受信装置ＩＤと該受信装置ＩＤに対応した契約情報を含む受信契約情報を複数の放送受信装置に共通のマスター鍵で暗号化して送信し、前記チャネルキーは前記受信契約情報とは別途配信することを特徴とする。


【手続補正１４】
【補正対象書類名】明細書
【補正対象項目名】００２３
【補正方法】変更
【補正の内容】
【００２３】
本発明によれば、限定受信のための情報を送信できる放送帯域が狭かったり、契約者が予想外に多くなってしまった場合であっても、同程度の安全性を保ちながら限定受信のための情報を各放送受信装置に配信できる。
（３０）第３の実施形態の契約管理装置暗号化されたコンテンツ情報の復号を制御するための自装置用の契約情報を受信しない限り、該暗号化された情報コンテンツを復号するための暗号化されたチャネルキーが復号されないよう制御することにより、該契約情報に従ったコンテンツ情報の復号を行う複数の放送受信装置を管理する契約管理装置であって、少なくとも放送受信装置毎個別に設定された受信装置ＩＤと該受信装置ＩＤに対応した契約情報と前記暗号化されたチャネルキーを復号するためのチャネルキー復号鍵とを含む受信契約情報を複数の放送受信装置に共通のマスター鍵で暗号化して送信することを特徴とする。


【手続補正１５】
【補正対象書類名】明細書
【補正対象項目名】００２４
【補正方法】変更
【補正の内容】
【００２４】
本発明によれば、限定受信のための情報を送信できる放送帯域が狭かったり、契約者が予想外に多くなってしまった場合であっても、同程度の安全性を保ちながら限定受信のための情報を各放送受信装置に配信できる。
（３１）第１の実施形態の契約管理装置暗号化されたコンテンツ情報の復号を制御するための自装置用の契約情報を受信しない限り、該暗号化された情報コンテンツを復号するためのチャネルキーが得られないように制御することにより、該契約情報に従ったコンテンツ情報の復号を行う複数の放送受信装置を管理する契約管理装置であって、少なくとも放送受信装置毎個別に設定された受信装置ＩＤと、該受信装置ＩＤに対応した契約情報として前記チャネルキーの一部を含むものとを包含する受信契約情報を複数の放送受信装置に共通のマスター鍵で暗号化して送信し、前記チャネルキーの他の一部を別途送信することを特徴とする。


【手続補正１６】
【補正対象書類名】明細書
【補正対象項目名】００２５
【補正方法】変更
【補正の内容】
【００２５】
本発明によれば、限定受信のための情報を送信できる放送帯域が狭かったり、契約者が予想外に多くなってしまった場合であっても、同程度の安全性を保ちながら限定受信のための情報を各放送受信装置に配信できる。
（３２）第４の実施形態の契約管理装置暗号化されたコンテンツ情報の復号を制御するための自装置用の契約情報を受信しない限り、該暗号化された情報コンテンツを復号するためのチャネルキーが得られないように、複数の放送受信装置を管理する契約管理装置であって、少なくとも放送受信装置毎個別に設定された受信装置ＩＤと該受信装置ＩＤに対応した契約情報と前記チャネルキーとを含む受信契約情報を複数の放送受信装置に共通のマスター鍵で暗号化して送信することを特徴とする。


【手続補正１７】
【補正対象書類名】明細書
【補正対象項目名】００２６
【補正方法】変更
【補正の内容】
【００２６】
本発明によれば、限定受信のための情報を送信できる放送帯域が狭かったり、契約者が予想外に多くなってしまった場合であっても、同程度の安全性を保ちながら限定受信のための情報を各放送受信装置に配信できる。
（３３）上記（２９）〜（３０）記載の契約管理装置において、チャネルキーおよびマスター鍵のうち少なくとも１つが予め定められた期間で変更されることを特徴とする。
（３４）上記（２９）〜（３２）記載の契約管理装置において、チャネルキーおよびチャネルキー復号鍵およびマスター鍵のうち少なくとも１つが予め定められた期間で変更されることを特徴とする。
（３５）上記（２９）〜（３２）記載の契約管理装置において、前受信契約情報に対する認証子を受信契約情報に含めて送信することを特徴とする。
（３６）上記（２９）〜（３２）記載の契約管理装置において、前記受信契約情報に対する認証子を受信契約情報に含めて送信し、該認証子として、受信契約情報に含まれる鍵情報で前記契約情報を暗号化したもの、もしくは、その一部を用いることを特徴とする。
（３７）上記（２９）〜（３２）記載の契約管理装置において、受信契約情報に対する認証子を受信契約情報に含めて送信し、該認証子として、受信契約情報に含まれる鍵情報を該鍵情報で暗号化したもの、前記暗号化された鍵情報を鍵情報で再暗号化したもの、もしくは数回再暗号化した情報のうち全部もしくは一部を用いることを特徴とする。
（３８）上記（２９）〜（３２）記載の契約管理装置において、受信契約情報に対する認証子を受信契約情報に含めて送信し、該認証子として、受信契約情報を必要があればブロック分割し、それぞれのブロックの情報を鍵として当該情報を暗号化し、必要があれば圧縮したものを用いることを特徴とする。
（３９）上記（２９）〜（３２）記載の契約管理装置において、受信契約情報に該受信契約情報に対するデジタル署名を付加して送信することを特徴とする。
（４０）上記（２９）〜（３２）記載の契約管理装置において、受信契約情報に該受信契約情報に対するデジタル署名を付加して送信し、デジタル署名検証用の公開鍵と作成用の秘密鍵のペアを生成する機構を具備し、一定期間で前記デジタル署名用の公開鍵と秘密鍵を変更すると共に、前記デジタル署名検証用の公開鍵を送信することを特徴とする。
（４１）上記（２９）〜（３２）記載の契約管理装置において、カード型記録媒体に前記暗号化された受信契約情報を記録する記録手段を具備したことを特徴とする。
（４２）上記（２９）〜（３２）記載の契約管理装置において、最近一定期間内に契約の変化の生じた（新規契約を含む）契約者の受信契約情報を選択的に送信することをことを特徴とする。


【手続補正１８】
【補正対象書類名】明細書
【補正対象項目名】００２７
【補正方法】変更
【補正の内容】
【００２７】
契約の種類（例えば、契約変更、新規契約など）と契約後の経過期間によって、契約情報の放送頻度を変更するようにしてもよい。
（４２−１）上記（２９）〜（３２）記載の契約管理装置において、契約の変化の生じた（新規契約を含む）時期により、受信契約情報の送信頻度を変化させることを特徴とする。
（４３）上記（１）〜（９）、（１７）、（２１）、（２４）、（２６）記載の放送受信装置において、前記受信契約情報に含まれる情報の種別に応じた識別子（情報識別子）に基づき、該受信契約情報に対する処理形態を切り替えることを特徴とする。
（４４）上記（２９）〜（３２）記載の契約管理装置において、前記受信契約情報を送信すべき契約者の数に応じて、受信契約情報の送信形態を切り替えることを特徴とする。